(57)【要約】      （修正有）【課題】生ゴミ処理装置の処理槽内の状況を確認する覗き窓に付着した水滴を容易に排除することができる生ゴミ処理装置を提供する。【解決手段】生ゴミ処理装置１７の上面において水平軸を中心に開閉する上蓋に備えられた覗き窓３に、その内側面に沿ってスライドするワイパー１を設ける。このワイパーは上蓋の開閉動作に伴い移動し、蓋の開閉だけで窓に付着した水滴４が除去される。そしてこの窓は装置の手前側を低く後方側を高くしており、蓋を閉じた状態では自動的に手前側にスライドする。【選択図】  図１
2004209393.tif 000002
【特許請求の範囲】
【請求項１】
生ゴミとバイオ菌を含む資材とを攪拌し、生ゴミをバイオ菌の活動で分解処理する生ゴミ処理装置であって、上面に内部の状況を確認するための窓を備えた生ゴミ処理装置において、
該窓の内側面に沿ってスライドするワイパーを設けた事を特徴とする生ゴミ処理装置。
【請求項２】
生ゴミ処理装置は上面に水平軸を中心に開閉する上蓋を設け、前記窓はこの上蓋に備えられ、前記ワイパーはこの上蓋の開閉に伴いスライド移動することを特徴とする請求項１に記載の生ゴミ処理装置。
【請求項３】
前期上蓋の窓は、手前側を低く後方側を高くしており、上蓋は後方側の水平軸を中心に開閉することを特徴とする請求項１に記載の生ゴミ処理装置。
【請求項４】
前記ワイパーにはレバー部が設けられており、レバー部を操作することでワイパーをスライドさせることを特徴とする請求項１乃至請求項のいずれかの項に記載の生ゴミ処理装置
【請求項５】
前記窓の内側表面に、撥水性のコーティングを施した事を特徴とする請求項１乃至る請求項４のいずれかの項に記載の生ゴミ処理装置。
【請求項６】
前記窓の内側表面に、親水性（光触媒）のコーティングを施した事を特徴とする請求項１乃至る請求項４のいずれかの項に記載の生ゴミ処理装置
【発明の詳細な説明】
【０００１】
【発明の属する技術分野】
本発明は家庭の台所、業務用調理場に於いて排出される生ゴミをバイオ菌で分解処理する生ゴミ処理装置に関する。
【０００２】
【従来の技術】
従来の生ゴミ処理装置は、処理槽内の生ゴミをバイオ菌の活動により分解処理しており、この分解処理中の生ゴミの状況を確認するための窓が生ゴミ処理装置本体の側面（たとえば特許文献１参照）や上蓋（特許文献２参照）に取付けてられている。
【０００３】
【特許文献１】
特開平１１−９０４０４号公報（段落番号０００９および図３の覗き窓７参照）
【０００４】
【特許文献２】
特開平１１−１５６３３１号公報（段落番号００７４、００７５および図９の透明窓１９参照）
【０００５】
【発明が解決しようとする課題】
生ゴミ処理装置の側面に生ゴミ処理槽内を確認する窓を設けた場合は、処理槽内の生ゴミが付着し、そのため中の状態が見えづらくなりやすかった。また上蓋に設けた場合は、バイオ菌による生ゴミの分解処理熱や、内部に備えられたヒータの熱によりに発生する水蒸気が、水滴として窓に付着し中の状況が見えづらくなっていた。この水滴は窓を斜面上に設けても簡単に落ちずに拭い去る事は出来ない。
【０００６】
【課題を解決するための手段】
本発明の生ゴミ処理装置によれば、生ゴミとバイオ菌を含む資材とを攪拌し、生ゴミをバイオ菌の活動で分解処理する生ゴミ処理装置であって、上面に内部の状況を確認するための窓を備えた生ゴミ処理装置において、該窓の内側面に沿ってスライドするワイパーを設けた事を特徴とする。これよれば、窓の内側のワイパーが窓の内側についた水滴を拭い取ることができいつでも生ゴミ処理装置内の様子を確認できる。
【０００７】
さらに本発明の生ゴミ処理装置は、その上面に水平軸を中心に開閉する上蓋を設け、前記ワイパーはこの上蓋の開閉に伴いスライドし、さらに上蓋の窓は、手前側を低く後方側を高くしており、上蓋は後方側の水平軸を中心に開閉するようになっている。さらに前記ワイパーにはレバー部が設けられている。これによれば、上蓋の開閉に伴い、あるいはレバーを動かす操作により窓の内側のワイパーが窓の内側についた水滴を拭い取ることができいつでも生ゴミ処理装置内の様子を確認できる。
【０００８】
【発明の実施の形態】
以下に、本発明の実施形態を図面に基づいて説明する。図１は本発明の生ゴミ処理装置１７の側断面図、図２は前記生ゴミ処理装置１７の上蓋１４を開いた側断面図、図３は上蓋１４を開いた生ゴミ処理装置１７の正面断面図、図４は生ゴミ処理装置１７の正面図である。
【０００９】
本発明の生ゴミ処理装置１７は家庭内の台所、業務用の調理場に於いて排出される生ゴミ１２を分解するもので、図１に示す様に生ゴミ１２を処理槽１５のバイオ菌１１を含む資材に投入し、該処理槽１５の攪拌羽１０を回転し攪拌するとバイオ菌１１の活動により生ゴミ１２を分解処理するものである。なお、前記攪拌羽１０は処理槽１５の中央部において不図示の駆動源により回転する攪拌軸９に放物線状に複数形成されているものである。また前記バイオ菌１１の活動を活発にして生ゴミ１２の分解処理時間を短縮する為に、処理槽１５と処理カバー１６間には３０℃〜４０℃に温調するヒータ１３が設けられている。
【００１０】
この生ゴミ処理装置の上部には処理槽１５を塞ぐように蓋１４が、後方のヒンジ７を中心に開閉するように設けられている。蓋１４は後方部を高く前方部を低くしたクサビ形状とし、その上面中央部には処理槽１５の状態を覗き込めるように透明の窓３が設けられている。
【００１１】
蓋１４の内側には、窓３の左右に一対のレール５が備えられており、このレール５間には前記窓に接するワイパー１が設けられている。なおワイパー１の両端には夫々ローラ（不図示）が備えられ、ワイパー１がレール５に沿って摺動するようになっている。また、このワイパー１は蓋１４を閉じた状態では、自重の重みによって蓋の前方に向けて移動している。
【００１２】
ワイパー１の一方の端部、正面から見て右側にはレバー２が設けられている。このレバー２は、窓３の側部において前記レール５と平行にして蓋１４に開けられた溝２０を通し蓋の上面に突き出ている。これにより使用者が蓋を閉じた状態でワイパーを動かすことが出来るようになっている。
【００１３】
図２で示す様に、使用者が上蓋１４の把手６を持ちヒンジ７を回転中心として開ける動作を行うと、ワイパー１は自重で蓋１４の後方に移動する。このとき、窓３に水滴が付着していてもワイパーの移動によって拭い去る事ができる。また、前記上蓋１４を閉めると、図１に示す様に上蓋１４は前方が低いクサビ形状であるからワイパー１は自重によって前方に戻る。
【００１４】
なお、上蓋１４内の拭い去れた水滴８は、上蓋１４を閉める動作で処理カバー１６の縁を通って処理槽１５に戻され生ゴミ処理装置１７外への漏水を防止できる。
【００１５】
このように今回の実施形態によれば、生ゴミを生ゴミ処理装置１７に投入する一連の上蓋１４の開閉動作によって、課題である窓３に付着した水滴４を拭い去る事が出来る。また、上蓋１４の開閉時動作以外に於いても、図４に示す様に上下矢印方向にレバー２をスライドさせる事で水滴を拭い去ることができる。また、窓３に記載する撥水性のコーティングすることで、ワイパーの効果をより高めることができる。あるいは、窓に酸化チタンなどの親水性を上げるコーティングを行っても良い。
【００１６】
本実施の形態では、ワイパーはその両端をレールで支持しているが、一方の端部を軸支する構成でも良い。
【００１７】
【発明の効果】
本発明によれば、生ゴミ処理中に発生する水蒸気によりのぞき窓に水滴が付着しても、上蓋の開閉動作時または生ゴミ処理中であってもワイパー動かすことで水滴を拭い去り処理槽内の生ゴミの状態を確認する事が出来る。
【図面の簡単な説明】
【図１】本発明の構成を表した生ゴミ処理装置の側断面図。
【図２】本発明の生ゴミ処理装置で上蓋を開いた状態の側断面図。
【図３】本発明の生ゴミ処理装置で上蓋を開いた状態の正面断面。
【図４】本発明の生ゴミ処理装置の正面図。
【符号の説明】
１．ワイパー
２．レバー
３．窓
５．レール
６．把手
７．ヒンジ
１０．攪拌羽
１１．バイオ菌
１２．生ゴミ
１３．ヒータ
１４．上蓋
１５．処理槽
１７．生ゴミ処理装置
【図１】
2004209393.tif 000003
【図２】
2004209393.tif 000004
【図３】
2004209393.tif 000005
【図４】
2004209393.tif 000006